(57)【要約】【課題】  動詞ごとに採りうる文型を表にした動詞文型活用早見表をデータベース化して、これを活用することで、ネイティブにも通用する良質な英文作成の手助けとなる英文作成支援装置およびその支援方法を提供する。【解決手段】  動詞と、その動詞に関する動詞文型活用情報を蓄積してなる動詞文型データベース１１と、その動詞に関する連語情報を蓄積してなる連語データベース１２と、前記デスクトップコンピュータシステム１における入力部４により、動詞を指定することで、前記動詞文型データベース１１と連語データベース１２とから、その動詞に関する動詞文型活用情報および連語情報を検索して、これら抽出された動詞文型活用情報および連語情報の表示信号を前記表示手段６に出力するデータベース検索部１３とを備える。【選択図】              図２
2005025690.tif 000002
【特許請求の範囲】
【請求項１】
動詞と、その動詞が採り得る文型と、その文型に応じた目的語、および補語と、その他その動詞の文型にかかる特有の情報と、その動詞の文型に基づく文例とその文例の意味とで構成する動詞文型活用情報を蓄積してなる動詞文型データベースと、動詞を指定することで、前記動詞文型データベースから前記動詞に関する動詞文型活用情報を検索して、この動詞文型活用情報にかかる表示信号を出力するデータベース検索部とを備えたことを特徴とする英文作成支援装置。
【請求項２】
英文を作成する際、該当する動詞を指定し、この動詞を指定することでこの動詞の採り得る文型情報を表示し、その動詞の文型に応じた目的語、または補語があれば、それらを使用した文例をそれぞれ表示して、英文作成の支援を行うようにしたことを特徴とする請求項１記載の英文作成支援装置における英文作成支援方法。
【請求項３】
動詞と、その動詞に関する連語情報と、その連語に基づく文例とその文例の意味とを蓄積してなる連語データベースと、動詞を指定することで、前記連語データベースから前記動詞に関する連語情報を検索して、この連語情報にかかる表示信号を出力するデータベース検索部とを備えたことを特徴とする英文作成支援装置。
【請求項４】
英文を作成する際、該当する動詞を指定し、この動詞を指定することでこの動詞に関連する連語情報を表示し、この連語を用いた文例を表示して、英文作成の支援を行うようにしたことを特徴とする請求項３記載の英文作成支援装置における英文作成支援方法。
【請求項５】
動詞と、その動詞が採り得る文型と、その文型に応じた目的語、および補語と、その他その動詞の文型にかかる特有の情報と、その動詞の文型に基づく文例とその文例の意味とで構成する動詞文型活用情報を蓄積してなる動詞文型データベースと、前記動詞に関する連語情報と、その連語に基づく文例とその文例の意味とを蓄積してなる連語データベースと、動詞を指定することで、前記動詞文型データベースまたは前記連語データベースから、それぞれ前記動詞に関する動詞文型活用情報、連語情報を検索して、これら動詞文型活用情報、連語情報にかかる表示信号を出力するデータベース検索部とを備えたことを特徴とする英文作成支援装置。
【請求項６】
前記動詞文型データベースは、その動詞の文型に基づく文例に関する支援情報を蓄積してなることを特徴とする請求項１または５記載の英文作成支援装置。
【請求項７】
前記連語データベースは、その連語に基づく文例に関する支援情報を蓄積してなることを特徴とする請求項３または５記載の英文作成支援装置。
【発明の詳細な説明】
【技術分野】
【０００１】
本発明は、英文作成の際に、英文を作成するにあたり、動詞に注目して、動詞を指定すべく入力することで、動詞の文型活用情報を蓄積した動詞文型データベース、および連語データベースから、その動詞に係る動詞文型活用情報、連語情報を抽出して、一目で認識できるように表示することで、正確な文章作りに寄与し得る英文作成支援装置およびその支援方法に関するものである。
【背景技術】
【０００２】
近年、周知のように、国際化が一段と加速され、ますます、外国語の習得が必須のこととなってきている。特に、英語は重要な言語であり、世界の主な国において取り入れられており、国際間の文書、特に公式の文書、さらにはインターネットを通じての電子メールは英語が用いられることが多い。
ところで、我が国においては、英語教育の重点が読解と会話におかれているため、書く、すなわち英訳の分野が著しく遅れているのが現状である。
これは、中学校、高校において行われている学校英文法を基に、英文を作成しているからであり、その学校英文法も断片的な知識にすぎないことに起因しているといっても過言ではない。
しかるに学校英文法の指導方法も旧態依然としたもので、名詞の種類の説明、代名詞の格変化、関係詞や関係代名詞の扱い方、比較構文の作り方、分詞構文の作り方、平叙文や疑問文、条件文等の動詞時制の扱い方、冠詞、前置詞の諸説明等に集約されているからである。
しかしながら、英文作成の上で重要なことは、上述のような断片的知識の寄せ集めではなく、動詞の文型活用と連語法の体系的知識であり、この体系的知識を基に、前記学校英文法の個々の知識が肉付けされてこそ、正しい英文を書くことができるのである。
近年、発刊されている辞書には、動詞の文型の説明、連語の説明がなされているものも見られるが、まだまだ不充分であり、該当動詞の全活用を調べるのに分単位の時間がかかってしまう。これでは非能率的で、英文書の作成に長大な時間がかかり、時間の浪費を招いている。
【０００３】
ところで、英文法や単語の知識があまりない人であっても、英文法に沿った英語的な表現の英文を作成することができるようにした英文作成支援装置が提案されている
【特許文献１】（特開２０００−２４２６４３）。  この支援装置では、文字や各種命令を与える入力部からの入力情報に基づいて必要なデータを検索する辞書検索部と、辞書検索部が必要とするデータが蓄積された辞書データベース並びに英文法表データベースと、辞書検索部で検索した結果を表示するディスプレイとを備えたものである。  このような構成においては、辞書検索部は、入力部から与えられた単語に基づいて辞書データベースを検索し、関連する接続可能な語句を抽出し、出力部に一覧を表示する機能と、使用者の要求に従い英文法表データベースを検索し、前記表示した語句の一覧の中で選択された単語と語句に関連する文法情報を抽出し、出力部に表示する。これら接続可能な語句や文法情報を見ることにより、正しい英文が作成できるとしている。
【０００４】
また、英文を作成する場合に、英文作成支援と推敲支援とを兼ね備えた支援装置も提案されている
【特許文献２】（特開平１１−６６０７４号）。  この支援装置では、英文書を格納するデータベース格納部と、英文作成支援に用いる文書として、前記データベース格納部に蓄積された文書の指定を行うと共に、この指定した文書の検索キーを入力する検索キー入力手段と、前記検索キー入力手段で、文書の指定が行われ、且つ、検索キーが入力された場合は、前記指定された文書から前記検索キーを含む文を検索する検索手段と、前記指定された文書を用いて翻訳文が作成された場合は、当該文書により、前記作成された翻訳文に対する推敲処理を行う推敲手段と、前記検索手段の検索結果と、前記推敲手段の推敲結果とを表示する検索・推敲結果表示手段とを備えている。
【発明の開示】
【発明が解決しようとする課題】
【０００５】
しかしながら、いずれにしても、前述の動詞の文型活用と連語法の体系的知識を基に構築された支援システムというわけではなく、この動詞ごとに採りうる文型を表にした動詞文型活用早見表をデータベース化し、このデータベースを基にシステムを構築すれば、既存のシステムよりも一層、合理的で単純化された支援装置が可能であろうという観点に至った。
本発明はこのよう観点から提案されたものであって、動詞ごとに採りうる文型を表にした動詞文型活用早見表をデータベース化して、これを活用することで、ネイティブにも通用する良質な英文作成の手助けとなる英文作成支援装置およびその支援方法を提供することを目的とする。
【課題を解決するための手段】
【０００６】
前記した課題を解決するために、本発明では、請求項１において、動詞と、その動詞が採り得る文型と、その文型に応じた目的語、および補語と、その他その動詞の文型にかかる特有の情報と、その動詞の文型に基づく文例とその文例の意味とで構成する動詞文型活用情報を蓄積してなる動詞文型データベースと、動詞を指定することで、前記動詞文型データベースから前記動詞に関する動詞文型活用情報を検索して、この動詞文型活用情報にかかる表示信号を出力するデータベース検索部とを備えた英文作成支援装置を提案する。
また本発明では、請求項２において、英文を作成する際、該当する動詞を指定し、この動詞を指定することでこの動詞の採り得る文型情報を表示し、その動詞の文型に応じた目的語、または補語があれば、それらを使用した文例をそれぞれ表示して、英文作成の支援を行うようにした英文作成支援装置における英文作成支援方法を提案する。
また本発明では、請求項３において、動詞と、その動詞に関する連語情報と、その連語に基づく文例とその文例の意味とを蓄積してなる連語データベースと、動詞を指定することで、前記連語データベースから前記動詞に関する連語情報を検索して、この連語情報にかかる表示信号を出力するデータベース検索部とを備えた英文作成支援装置を提案する。
また本発明では、請求項４において、英文を作成する際、該当する動詞を指定し、この動詞を指定することでこの動詞に関連する連語情報を表示し、この連語を用いた文例を表示して、英文作成の支援を行うようにした英文作成支援装置における英文作成支援方法を提案する。
また本発明では、請求項５において、動詞と、その動詞が採り得る文型と、その文型に応じた目的語、および補語と、その他その動詞の文型にかかる特有の情報と、その動詞の文型に基づく文例とその文例の意味とで構成する動詞文型活用情報を蓄積してなる動詞文型データベースと、前記動詞に関する連語情報と、その連語に基づく文例とその文例の意味とを蓄積してなる連語データベースと、動詞を指定することで、前記動詞文型データベースまたは前記連語データベースから、それぞれ前記動詞に関する動詞文型活用情報、連語情報を検索して、これら動詞文型活用情報、連語情報にかかる表示信号を出力するデータベース検索部とを備えた英文作成支援装置を提案する。
また本発明では、請求項６において、前記動詞文型データベースは、その動詞の文型に基づく文例に関する支援情報を蓄積してなる英文作成支援装置を提案する。
さらに本発明では、請求項７において、前記連語データベースは、その連語に基づく文例に関する支援情報を蓄積してなる英文作成支援装置を提案する。
【発明の効果】
【０００７】
以上のように、英文を作成するにあたり、動詞に注目して、動詞を指定すべく入力することで、
（１）動詞の文型活用情報を蓄積した動詞文型データベースから、その動詞に係る動詞文型活用情報を抽出して、文型を一目で認識できるように表示するようにしたので、この表示した動詞文型活用情報を参考に、目的の英文を作成することができる。
さらに
（２）連語データベースから、動詞に関連する連語情報を表示して、連語を用いた文例を参考に英文を作成することができるので、動詞の使い方、語法を間違うことなく、英文法に則った、ネイティブにも通用する英文を作成することができる。
【０００８】
請求項１によれば、動詞を指定することで、データベース検索部により動詞文型データベースから、この動詞に関する動詞文型活用情報を検索して、抽出された動詞文型活用情報を表示信号として出力し、表示手段により表示することができ、この表示された情報を参考に英文を作成することができる。
【０００９】
請求項２によれば、英文を作成するにあたり、動詞を指定すると、動詞が採り得る文型が表示される。この文型を基に、目的語や補語がある場合には、それらを含んだ文例として表示し、その文例を文章を作成する参考とすることができ、文法に即した英文の作成が可能となる。
【００１０】
請求項３によれば、動詞を指定することで、データベース検索部により連語データベースから、この動詞に関する連語情報を検索して、抽出された連語情報を表示信号として出力し、表示手段により表示することができ、この表示された情報を参考に英文を作成することができる。
【００１１】
請求項４によれば、動詞を指定することでこの動詞に関連する連語情報を表示し、この連語を用いた文例を表示して、このこの文例を参考に、英文を作成することができる。
【００１２】
請求項５によれば、動詞を指定することで、データベース検索部により動詞文型データベースまたは連語データベースから、それぞれその動詞に関する動詞文型活用情報、連語情報を検索して、これら動詞文型活用情報、連語情報にかかる表示信号を出力して、表示手段により表示することができ、この表示された情報を参考に英文を作成することができる。
【００１３】
請求項６によれば、その動詞の文型に基づく文例と文例の意味とその文例に関する支援情報を基に、英文作成のガイドとして用いることができる。
【００１４】
請求項７によれば、その動詞の文型に基づく文例と、文例の意味と文例に関する支援情報を参考に、英文法に即した英文作成に寄与することができる。
【発明を実施するための最良の形態】
【００１５】
以下、本発明にかかる英文作成支援装置およびその支援方法について、一実施例を挙げ、添付の図面を基に説明する。
図１に英文作成支援装置（後述）を搭載した、周知のデスクトップコンピュータシステム１を示す。このデスクトップコンピュータシステム１は、キーボード２、マウス３等、文字や各種指令を与える入力部４と、ＢＩＯＳや周知の基本ソフトをインストールしたマザーボード（図示省略）を搭載する本体５と、ＣＲＴや、ＴＦＴ液晶ディスプレイ、プラズマディスプレイなどの表示手段６とを具備するものである。また、前記本体５には、後述する英文作成支援装置を構成するデータベースを蓄積した媒体からデータを読み込んで、本体内マザーボードに転送するハードディスクユニット７、ＣＤ−ＲＯＭドライブユニット８、フロッピィディスクドライブユニット９を組み込んでいる。
なお、ここで示した、デスクトップコンピュータシステム１は一例であり、もちろん、この他、英文作成支援装置は、ノート型パソコン等にも搭載することができる。
【００１６】
そこで図２に、前記デスクトップコンピュータシステム１に組み込まれた英文作成支援装置１０を示し、説明する。
すなわちこの英文作成支援装置１０は、動詞と、その動詞に関する動詞文型活用情報を蓄積してなる動詞文型データベース１１と、その動詞に関する連語情報を蓄積してなる連語データベース１２と、前記デスクトップコンピュータシステム１における入力部４により、動詞を指定することで、前記動詞文型データベース１１と連語データベース１２とから、その動詞に関する動詞文型活用情報および連語情報を検索して、これら抽出された動詞文型活用情報および連語情報の表示信号を前記表示手段６に出力するデータベース検索部１３とを備えたものである。
【００１７】
前記動詞文型データベース１１は、図３に示すように、蓄積項目として動詞Ｖと、その動詞Ｖが採り得る文型と、目的語Ｏと、補語Ｃと、その他その動詞Ｖの特有の事項とを有している。なお、図３では、その動詞Ｖに該当する項目を、斜線を付して示している。
前記動詞文型データベース１１に蓄積する際には、前記動詞Ｖが採り得る文型の項目には、５文型（ＳＶ，ＳＶＣ，ＳＶＯ，ＳＶＯＯ，ＳＶＯＣ）のうち、その動詞Ｖにおいて、可能な文型の全てを格納してある。
前記目的語Ｏの項目には、名詞（代名詞）、ｔｏ不定詞、原形不定詞、動名詞、ｔｈａｔ節、Ｗｈ節、Ｗｈ句のうち、該当するものを格納してある。
また、前記補語Ｃの項目には、名詞（代名詞）、形容詞、ｔｏ不定詞、原形不定詞、現在分詞、過去分詞のうち、該当するものを格納してある。
そして前記動詞文型データベース１１には、後述するが、その動詞Ｖの採り得る文型毎に、文例（使用例）が蓄積してある。
さらに、前記動詞Ｖの特有の事項の項目としては、例えばその動詞Ｖが、文型ＳＶＯＯを採る場合、直接目的語と関節目的語とを入れ替えた際に、用いられる前置詞（ｔｏ，ｆｏｒ，他）を指示するようにしている。また、備考として、英文作成にあたり、特に間違いやすい事項、注意点等を支援情報として格納することができる（後述）。
【００１８】
次に、前記連語データベース１２には、各タイプの連語Ｃｗを格納している（図４参照）。なお、図４においては、その動詞Ｖに関連する連語Ｃｗに○を付している。また、ここでは、連語Ｃｗは、特にその動詞Ｖを用いて得られる、複数の語からなる語句をいうものとする。すなわち、連語Ｃｗは、例えば、（１）ｂｅ動詞を伴うもの、（２）原形動詞を使用するもの、（３）動名詞を伴うもの、（４）受け身を用いた表現に分類して前記連語データベース１２に格納することができる。
さらに後述するが、前記連語データベース１２には、動詞Ｖに関連する連語Ｃｗを使用した文例、和文、間違いやすい事項、注意点等を支援情報として格納することができる。
【００１９】
以上のような動詞文型データベース１１および連語データベース１２に対し、キーボード２、マウス３等の入力部４によって、該当する動詞Ｖを入力したり、各種指令を与えることで、データベース検索部１３によりその指令に応じたデータを取り出したり、適宜な関連表を表示手段６に表示させて、英文作成の支援を行う設定である。
【００２０】
そこで、上記英文作成支援装置１０を用いた、英文作成の手順の一例を図５に示し、以下説明する。
ある英文を作成する際、キーボード２等の入力部４によって、該当する動詞Ｖを入力すると、データベース検索部１３により、動詞文型データベース１１および連語データベース１２から、その動詞Ｖに係る動詞文型活用情報を抽出するステップを実行する（ＳＴＰ１，ＳＴＰ２，ＳＴＰ３，ＳＴＰ５）。
一方、その動詞Ｖに連語情報があれば（ＳＴＰ４）、連語情報の抽出を行う（ＳＴＰ８）。なお、これら情報の抽出が完了すると、表示手段６に例えば動詞文型活用情報を抽出完了、連語情報抽出完了と表示した後に、それぞれ次の操作指令を促す例えば「表示する」を表示するようにしても良い。
そして、マウス３等によって画面上の前記「表示する」をクリックすることで、情報が選択され（ＳＴＰ６，ＳＴＰ９）、表示指令がなされたとして選択された情報を表示する（ＳＴＰ７，ＳＴＰ１０）。
【００２１】
前記動詞文型活用情報を選択した場合は、図３に示した表のうち、一覧の形で、該当する動詞Ｖと共に、この動詞Ｖの採り得る文型（ＳＶ，ＳＶＣ，ＳＶＯ，ＳＶＯＯ，ＳＶＯＣ）、動詞Ｖの文型に応じた目的語Ｏ、または補語Ｃ、さらには、動詞Ｖの特有の事項を表示手段６に表示する。
一方、前記連語情報を選択した場合は、図４に示す表から、その動詞Ｖと、関連する連語Ｃｗのタイプ（○で示した）を表示手段６に表示する。
【００２２】
そしてさらに、前記動詞文型活用情報を表示した場合において、英訳する原文に応じて、どういう文型を採るか解析し、文型の選択を行う。この場合、前記動詞の採り得る文型の中から、マウス３によってクリックすることで、選択することができる（ＳＴＰ１１）。
次いで文型を選択することで、前記動詞Ｖの文型に応じた目的語Ｏ、または補語Ｃがあれば、それらを使用した文例がそれぞれ表示され、さらに、されらの文の和文が表示される（ＳＴＰ１２）。
一方、前記連語情報を表示した場合において、前記連語Ｃｗの欄をマウス３によってクリックすることで（ＳＴＰ１３）、その連語Ｃｗを伴った文例が表示される（ＳＴＰ１４）。
そして、前記ＳＴＰ１２の際に、和文の他に、その文例に関連して、特に間違いやすい事項、注意点等を支援情報として表示することができる。
以上のような文例、支援情報を参考にして、目的の英文を作成することができる。
このようにすることで、動詞の使い方、語法を間違うことなく、英文法に則った、ネイティブにも通用する英文を作成することができる。
【００２３】
ここで、例えば、「私は、英語を学びました。」を英訳する簡単な例を挙げ、説明する。
先ず、動詞としては、「ｌｅａｒｎ」と「ｓｔｕｄｙ」が挙げられる。
キーボード２等の入力部４によって、「ｌｅａｒｎ」を入力すると、データベース検索部１３により、動詞文型データベース１１および連語データベース１２を検索して、蓄積されたデータから「ｌｅａｒｎ」に関する動詞文型活用情報が抽出され、表示手段６に一覧として表示される。これによって、使用者は、「ｌｅａｒｎ」が採り得る文型を一目で認識することができる。「ｌｅａｒｎ」が採り得る文型は、ＳＶとＳＶＯであることがわかる。
このうち文型ＳＶＯにおいては、目的語Ｏの形態として、名詞（代名詞）、ｔｏ不定詞、原形不定詞、動名詞、ｔｈａｔ節、Ｗｈ節、Ｗｈ句のうち、名詞（代名詞）、ｔｏ不定詞、ｔｈａｔ節、Ｗｈ節、Ｗｈ句を採ることがわかる。
【００２４】
一方、キーボード２において、「ｓｔｕｄｙ」を入力すると、同様にして、「ｓｔｕｄｙ」に関する動詞文型活用情報が抽出され、表示手段６に一覧として表示される（図６参照）。これによって、使用者は、「ｓｔｕｄｙ」が採り得る文型は、ＳＶとＳＶＯであることがわかり、文型ＳＶＯにおいては、目的語Ｏの形態として、名詞（代名詞）、Ｗｈ節、Ｗｈ句を採ることがわかる。
【００２５】
ところで、「私は、英語を学びました。」から、「私は学びました」は、ＳＶであり、「英語を」はＯ（形態として名詞）であり、従って文型はＳＶＯであることがわかる。
そこで、文型の領域でＳＶＯを選択すればよいことがわかり、マウス３で表示手段６上でＳＶＯをクリック操作することで、文例（使用例）が表示され、それに対応した和文が表示される。
【００２６】
「ｌｅａｒｎ」を入力した場合、ＳＶＯをクリック操作すると、文例として…ｌｅａｒｎ  Ｆｒｅｎｃｈとあり、和文がフランス語を習うとあり（図７参照）、容易に、Ｉ  ｌｅａｒｎｅｄ  Ｅｎｇｌｉｓｈ…と導き出すことができる。
【００２７】
一方、「ｓｔｕｄｙ」を入力した場合、ＳＶＯをクリック操作すると、文例として、ｓｔｕｄｙ  Ｅｎｇｌｉｓｈとあるが、和文の方を見ると、英語を勉強する（研究する）という意味合いであり、この場合であると、「ｌｅａｒｎ」を使う方がよいことがわかる（図８参照）。
このように、表示手段６に示された動詞活用一覧表を文型に基づいて活用することにより、日本文から、直訳したような英文を作成する悪癖を防止することができる。
【００２８】
なお、前記「私は、英語を学びました。」は、「ｌｅａｒｎ」を用いることで、英訳が可能であるので、連語データベース１２からの連語情報をあえて表示して参照することは不要である。
【００２９】
次に、動詞Ｖに関連する連語Ｃｗを用いて英文作成を行う例を説明する。
例えば、「雨が降りそうだ」を英訳する場合、「降る」から動詞「ｒａｉｎ」を指定することができる。
キーボード２において、「ｒａｉｎ」を入力すると、データベース検索部１３により、動詞文型データベース１１および連語データベース１２から、「ｒａｉｎ」に関する動詞文型活用情報が抽出され、表示手段６に一覧として表示される。
前記「ｒａｉｎ」は、ＳＶとＳＶＯが示され、ＳＶで文例が、Ｉｔ  ｒａｉｎｓ…（雨が降る）と表示される。
【００３０】
一方、「ｒａｉｎ」の入力に基づいてデータベース検索部１３により連語データベース１２を検索すると、関連する連語Ｃｗが抽出され、表示手段６に表示することができる。これにより、ｂｅ  ｌｉｋｅｌｙ  ｔｏ  ｒａｉｎ  と共に、和文（雨が降りそうだ）が表示され（図９参照）、容易に、Ｉｔ  ｉｓ  ｌｉｋｅｌｙ  ｔｏ  ｒａｉｎ．を導き出すことができる。
【００３１】
さらに、英文作成支援装置１０による英文作成支援効果を、その他の動詞にかかる動詞文型活用情報を基に、説明する。
ＳＶ文型を採る動詞として例えば「ａｒｉｓｅ」を、キーボード２によって入力すると、データベース検索部１３により、動詞文型データベース１１を検索して、蓄積されたデータから図３に示すような動詞文型活用情報が、表示手段６に一覧として表示され、これによって、「ａｒｉｓｅ」が採り得る文型は、ＳＶのみであることがわかる。また、この場合「ａｒｉｓｅ」は、何ら目的語Ｏ、補語Ｃを伴わないことがわかる。
次いで、マウス３で表示手段６上でＳＶＯをクリック操作することで、文例（使用例）が表示され、それに対応した和文が表示される。すなわち、図１０に示すように、文例として例えば、「Ｔｈｉｓ  ｆｅａｒ  ａｒｉｓｅｓ  ｆｒｏｍ  ｉｇｎｏｒａｎｃｅ．」で、和文は、「無知がこの恐怖を引き起こす。」となる。さらに、支援情報として、「Ｉｇｎｏｒａｎｃｅ  ａｒｉｓｅｓ  ｔｈｉｓ  ｆｅａｒ．」は誤り（他動詞用法はなし）と表示される。
これによって使用者は、「ａｒｉｓｅ」に対する正しい使い方を簡単に把握することができる。
【００３２】
また、別の例としてＳＶＯ文型を採る「ａｒｏｕｓｅ」を同様にして入力すると、「ａｒｏｕｓｅ」にかかる動詞文型活用情報が表示され、これによって「ａｒｏｕｓｅ」は、ＳＶＯ文型のみであり、目的語は名詞（代名詞）のみであることがわかる。
そして、マウス３で表示手段６上でＳＶＯをクリック操作することで、文例として、例えば「Ｈｉｓ  ｓｎｏｒｅ  ａｒｏｕｓｅｄ  ｍｅ  ｆｒｏｍ  ｍｙ  ｓｌｅｅｐ．」で、和文は「彼のいびきで私は目をさました。」と表示される（図１１参照）。さらに、支援情報として、「Ｈｉｓ  ｓｎｏｒｅ  ａｒｏｕｓｅｄ  ｆｒｏｍ  ｍｙ  ｓｌｅｅｐ．」は誤り（自動詞の用法はなし）と表示される。
これによって使用者に対し、「ａｒｏｕｓｅ」の正しい使い方をガイドすることができる。
【００３３】
さらに、頻繁に用いられる「ｍａｋｅ」を取り上げて説明する。
「ｍａｋｅ」にかかる動詞文型活用情報を表示させると、「ｍａｋｅ」は、文型として、ＳＶ，ＳＶＯ，ＳＶＯＯ，ＳＶＯＣを採ることができ、ＳＶＯＣで、目的語は名詞で、補語は名詞、形容詞、原形不定詞、さらに過去分詞を伴うことがわかる。この「ｍａｋｅ」のように、広範な使い方ができる動詞でも、このような一覧票によれば一目で把握することができ、熟達者にとっても、作成した英文をチェックする上での手間を大いに省くことができる。
ここで、これら採り得る文型のうち、ＳＶＯＣをマウス３で表示手段６上でクリック操作すると、文例として例えば「Ｔｈｅｙ  ｍａｄｅ  ｕｓ  ｗｏｒｋ  ａｌｌ  ｎｉｇｈｔ．」で、和文は「彼らは我々を一晩中働かせた。」と表示される（図１２参照）。さらに、支援情報として、「Ｗｅ  ｗｅｒｅ  ｍａｄｅ  ｔｏ  ｗｏｒｋ  ａｌｌ  ｎｉｇｈｔ．」も可能（受身型：ｔｏ不定詞）と表示される。
【００３４】
以上、動詞の文型活用情報をデータベース化して、英文作成支援装置に活用した例を挙げ、説明したが、動詞の文型活用情報は、もちろん、この他に通常の出版物に適用して様々な使い方ができる。例えば、教科書、学習参考書、辞書、他各種テキストに盛り込むことで、英語力の増進に大いに貢献することが期待できる。
【図面の簡単な説明】
【００３５】
【図１】本発明にかかる英文作成支援装置を実施するためのデスクトップコンピュータの一例を示す、概略構成図である。
【図２】本発明にかかる英文作成支援装置の構成を示す、ブロック図である。
【図３】図２に示す英文作成支援装置における動詞文型データベースに蓄積された動詞文型活用情報の一例を示した一覧表である。
【図４】図２に示す英文作成支援装置における連語データベースに蓄積された動詞文型活用情報の一例を示した一覧表である。
【図５】本発明にかかる英文作成支援方法を説明するためのフローチャートである。
【図６】図３における動詞文型データベースに蓄積された動詞文型活用情報の別例を示す図である。
【図７】図５に示すフローチャートに基づいて表示手段に、動詞の文型に関連する文例と和文を表示した一例を示す表である。
【図８】図５に示すフローチャートに基づいて表示手段に、別の動詞の文型に関連する文例と和文を表示した一例を示す表である。
【図９】図５に示すフローチャートに基づいて表示手段に、動詞に関連する連語と、文例と和文とを表示した一例を示す表である。
【図１０】図５に示すフローチャートに基づいて表示手段に、別の動詞の文型に関連する文例、和文および支援情報を表示した一例を示す表である。
【図１１】図５に示すフローチャートに基づいて表示手段に、別の動詞の文型に関連する文例、和文および支援情報を表示した一例を示す表である。
【図１２】図５に示すフローチャートに基づいて表示手段に、別の動詞の文型に関連する文例、和文および支援情報を表示した一例を示す表である。
【符号の説明】
【００３６】
１                      デスクトップコンピュータ
２                      キーボード
３                      マウス
４                      入力部
５                      本体
６                      表示手段
７                      ハードディスクユニット
８                      ＣＤ−ＲＯＭドライブユニット
９                      フロッピィディスクドライブユニット
１０                    英文作成支援装置
１１                    動詞文型データベース
１２                    連語データベース
１３                    データベース検索部
【図１】
2005025690.tif 000003
【図２】
2005025690.tif 000004
【図３】
2005025690.tif 000005
【図４】
2005025690.tif 000006
【図５】
2005025690.tif 000007
【図６】
2005025690.tif 000008
【図７】
2005025690.tif 000009
【図８】
2005025690.tif 000010
【図９】
2005025690.tif 000011
【図１０】
2005025690.tif 000012
【図１１】
2005025690.tif 000013
【図１２】
2005025690.tif 000014
【手続補正書】
【提出日】平成15年7月4日(2003.7.4)
【手続補正１】
【補正対象書類名】図面
【補正対象項目名】全図
【補正方法】変更
【補正の内容】
【図１】
2005025690.tif 000015
【図２】
2005025690.tif 000016
【図３】
2005025690.tif 000017
【図４】
2005025690.tif 000018
【図５】
2005025690.tif 000019
【図６】
2005025690.tif 000020
【図７】
2005025690.tif 000021
【図８】
2005025690.tif 000022
【図９】
2005025690.tif 000023
【図１０】
2005025690.tif 000024
【図１１】
2005025690.tif 000025
【図１２】
2005025690.tif 000026